(57)【要約】【課題】一体形成されるヒュージブルリンク相互間の交差角度の変更が容易にでき、しかも、交差角度の設定のための連絡板部が腐食し難いヒュージブルリンクユニットを提供すること。【解決手段】第１のヒュージブルリンク１０と第２のヒュージブルリンク４１との間に露出する連絡板部２１をその延出方向に沿うスリット２１ａが多条に並ぶ格子構造に形成すると共に、連絡板部２１の周囲は可撓性を有する樹脂製被覆３０で覆い、第１のヒュージブルリンク１０と第２のヒュージブルリンク４１との交差角度は連絡板部２１の折り曲げによって設定すると共に、連絡板部２１の剛性によって交差角度を保持させる。【選択図】図１
2014137893.tif 000002
【特許請求の範囲】
【請求項１】
バッテリ端子に接続されるバッテリ接続板部を有する金属板製の第１のヒューズエレメントを第１の樹脂製ハウジングにより支持した第１のヒュージブルリンクと、
前記バッテリ接続板部と一体に形成されて、前記第１の樹脂製ハウジングの外部に延出する連絡板部と、
前記連絡板部の先端に一体形成された金属板製の第２のヒューズエレメントを前記第１の樹脂製ハウジングとは別体の第２の樹脂製ハウジングにより支持した第２のヒュージブルリンクと、
を備え、
前記第１のヒュージブルリンクと前記第２のヒュージブルリンクとの間に露出する前記連絡板部をその延出方向に沿うスリットが多条に並ぶ格子構造に形成すると共に、前記連絡板部の周囲は可撓性を有する樹脂製被覆で覆い、
前記第１のヒュージブルリンクと前記第２のヒュージブルリンクとの交差角度は前記連絡板部の折り曲げによって設定すると共に、前記連絡板部の剛性によって交差角度を保持させる、
ことを特徴とするヒュージブルリンクユニット。
【請求項２】
請求項１に記載のヒュージブルリンクユニットであって、
前記バッテリ接続板部には、延出方向が異なる２つの前記連絡板部が設けられ、それぞれの前記連絡板部の先端に、前記第２のヒュージブルリンクが形成されていることを特徴とするヒュージブルリンクユニット。
【発明の詳細な説明】
【技術分野】
【０００１】
本発明は、複数のヒュージブルリンクが一体形成されるヒュージブルリンクユニットに関する。
【背景技術】
【０００２】
図６は、下記特許文献１に開示されたヒュージブルリンクユニットを示したものである。このヒュージブルリンクユニット１００は、車両のバッテリに直付けされるタイプで、第１のヒュージブルリンク１１０と、連絡板部１２０と、第２のヒュージブルリンク１３０と、曲げ形状保持部材１４０と、から構成される。
【０００３】
第１のヒュージブルリンク１１０は、バッテリ端子に接続されるバッテリ接続板部１１１ａを有する金属板製の第１のヒューズエレメント１１１１を第１の樹脂製ハウジング１１１２により支持している。
【０００４】
連絡板部１２０は、バッテリ接続板部１１１１ａと一体に形成されて、第１の樹脂製ハウジング１１１２の外部に延出した金属板で、第１のヒュージブルリンク１１０と第２のヒュージブルリンク１３０とを所定の交差角度にする際の折り曲げ部となる。
【０００５】
第２のヒュージブルリンク１３０は、連絡板部１２０の先端に一体形成された金属板製の第２のヒューズエレメント１３１を第１の樹脂製ハウジング１１１２とは別体の第２の樹脂製ハウジング１３２により支持している。図６に示す符号１３１ｂは、第２のヒューズエレメント１３１に装備された可溶部である。この可溶部１３１ｂは、第２のヒューズエレメント１３１に定格以上の電流が流れた時に溶断して、第２のヒューズエレメント１３１に接続されている回路を保護する。
【０００６】
第１のヒュージブルリンク１１０と第２のヒュージブルリンク１３０とは、図６に示すように、両者間に露出している連絡板部１２０を折り曲げることで、所定の交差角度に位置させることができる。
【０００７】
曲げ形状保持部材１４０は、第１のヒュージブルリンク１１０と第２のヒュージブルリンク１３０とを所定の交差角度にしたときに、それぞれのハウジング１１１２，１３２に形成されている嵌合溝１１３，１３３に係合して、ヒュージブルリンク相互の交差角度を保持する。
【先行技術文献】
【特許文献】
【０００８】
【特許文献１】特開２０１０−２５１１７６号公報
【発明の概要】
【発明が解決しようとする課題】
【０００９】
ところが、特許文献１のヒュージブルリンクユニット１００の場合、車載のバッテリの周囲の構造や、ワイヤハーネスの配索性から、第１のヒュージブルリンク１１０と第２のヒュージブルリンク１３０との交差角度を変更する場合には、曲げ形状保持部材１４０を作り直さなければならず、交差角度の変更が容易にできないという問題があった。
【００１０】
また、特許文献１のヒュージブルリンクユニット１００の場合、連絡板部１２０は、金属板がむき出し状態のため、連絡板部１２０が腐食し易いという問題があった。
【００１１】
そこで、本発明の目的は、上記課題を解消することに係り、一体形成されるヒュージブルリンク相互間の交差角度の変更が容易にでき、しかも、交差角度の設定のための連絡板部が腐食し難いヒュージブルリンクユニットを提供することにある。
【課題を解決するための手段】
【００１２】
本発明の前述した目的は、下記の構成により達成される。
（１）  バッテリ端子に接続されるバッテリ接続板部を有する金属板製の第１のヒューズエレメントを第１の樹脂製ハウジングにより支持した第１のヒュージブルリンクと、
前記バッテリ接続板部と一体に形成されて、前記第１の樹脂製ハウジングの外部に延出する連絡板部と、
前記連絡板部の先端に一体形成された金属板製の第２のヒューズエレメントを前記第１の樹脂製ハウジングとは別体の第２の樹脂製ハウジングにより支持した第２のヒュージブルリンクと、
を備え、
前記第１のヒュージブルリンクと前記第２のヒュージブルリンクとの間に露出する前記連絡板部をその延出方向に沿うスリットが多条に並ぶ格子構造に形成すると共に、前記連絡板部の周囲は可撓性を有する樹脂製被覆で覆い、
前記第１のヒュージブルリンクと前記第２のヒュージブルリンクとの交差角度は前記連絡板部の折り曲げによって設定すると共に、前記連絡板部の剛性によって交差角度を保持させる、
ことを特徴とするヒュージブルリンクユニット。
【００１３】
（２）  請求項１に記載のヒュージブルリンクユニットであって、
前記バッテリ接続板部には、延出方向が異なる２つの前記連絡板部が設けられ、それぞれの前記連結板部の先端に、前記第２のヒュージブルリンクが形成されていることを特徴とするヒュージブルリンクユニット。
【００１４】
上記（１）の構成によれば、第１のヒュージブルリンクと第２のヒュージブルリンクとの間を接続している連絡板部を折り曲げることで、第１のヒュージブルリンクと第２のヒュージブルリンクとの交差角度を設定する。折り曲げる連絡板部は、格子構造のため、無垢の板構造の場合と比較して折り曲げし易く、ヒュージブルリンク相互間の交差角度の設定が容易である。
【００１５】
そして、折り曲げ角度の保持は、連絡板部自体の剛性によって行い、他の部品を使用しないため、ヒュージブルリンク相互間の交差角度の変更が容易にできる。
また、連絡板部は樹脂製被覆で覆われるため、腐食し難く、ヒュージブルリンクユニットの長寿命化を図ることができる。
【００１６】
上記（２）の構成によれば、第１のヒュージブルリンクに追加される２つの第２のヒュージブルリンクは、それぞれ個別に異なる方向に折り曲げすることができ、例えば、当該ヒュージブルリンクユニットがバッテリの角部に直付けされるような場合、それぞれのヒュージブルリンクをバッテリの交差する３面に沿う交差角度に成形して、当該ヒュージブルリンクユニットの占有スペースを低減させることができる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【発明の効果】
【００１８】
本発明によるヒュージブルリンクユニットによれば、一体形成されるヒュージブルリンク相互間の交差角度の変更が容易にでき、しかも、交差角度の設定のための連絡板部が腐食し難いヒュージブルリンクユニットを提供することができる。
【図面の簡単な説明】
【００１９】
【図１】図１は本発明に係るヒュージブルリンクユニットの一実施形態の展開状態の平面図である。
【図２】図２は本発明の一実施形態ヒュージブルリンクに使用されるヒューズエレメントの展開図である。
【図３】図３は図２のＡ−Ａ断面図である。
【図４】図４は本発明の一実施形態の第１の使用状態を示す斜視図である。
【図５】図５は本発明の一実施形態の第２の使用状態を示す斜視図である。
【図６】図６は従来のヒュージブルリンクユニットの斜視図である。
【発明を実施するための形態】
【００２０】
以下、本発明に係るヒュージブルリンクユニットの好適な実施形態について、図面を参照して詳細に説明する。
【００２１】
図１〜図５は本発明に係るヒュージブルリンクユニットの一実施形態を示したもので、図１は本発明の一実施形態のヒュージブルリンクユニットの展開状態の平面図、図２は本発明の一実施形態ヒュージブルリンクに使用されるヒューズエレメントの展開図、図３は図２のＡ−Ａ断面図、図４は本発明の一実施形態の第１の使用状態を示す斜視図、図５は本発明の一実施形態の第２の使用状態を示す斜視図である。
【００２２】
この一実施形態のヒュージブルリンクユニット１は、図１に示すように、第１のヒュージブルリンク１０と、２つの連絡板部２１，２２と、これらの２つの連絡板部２１，２２を覆う樹脂製被覆３０と、２つの第２のヒュージブルリンク４１，４２と、を備えている。
【００２３】
第１のヒュージブルリンク１０は、金属板製の第１のヒューズエレメント１１を、第１の樹脂製ハウジング１２により支持した構成である。
【００２４】
第１のヒューズエレメント１１は、図２に示すように、２つの連絡板部２１，２２及び２つの第２のヒュージブルリンク４１，４２と一体に、一枚の金属板から形成される。
【００２５】
第１のヒューズエレメント１１は、 図２に示すように、不図示のバッテリ端子に接続されるバッテリ接続板部１１ａと、外部回路の接続部となる第１の外部端子接続板部１１ｂと、バッテリ接続板部１１ａと第１の外部端子接続板部１１ｂとの間を導通接続する第１可溶部１１ｃと、を備えている。第１可溶部１１ｃは、第１の定格以上の電流が流れるときに通電による発熱で溶断するように、断面積が設定されている。
【００２６】
第１の樹脂製ハウジング１２は、インサート成形により第１のヒューズエレメント１１に一体形成される。第１の樹脂製ハウジング１２は、バッテリ接続板部１１ａの一部と、第１可溶部１１ｃと、第１の外部端子接続板部１１ｂの一部とを、一定の位置関係に支持する。
【００２７】
２つの連絡板部２１，２２は、図２に示すように、バッテリ接続板部１１ａと一体に形成されている。また、これらの連絡板部２１，２２は、図１に示すように、第１の樹脂製ハウジング１２の外部に延出している。
【００２８】
本実施形態の場合、連絡板部２１は、バッテリ接続板部１１ａの一部を延長したもので、略矩形板状のバッテリ接続板部１１ａの一辺１１１から該一辺１１１と直交する方向（図２では、矢印Ｘ１方向）に延出している。また、本実施形態の連絡板部２１は、折り曲げが容易なように、その延出方向に沿うスリット２１ａが多条に並ぶ格子構造（連子構造）に形成されている。
【００２９】
また、連絡板部２２は、連絡板部２１と同様にバッテリ接続板部１１ａの一部を延長したもので、略矩形板状のバッテリ接続板部１１ａの他の一辺１１２から該一辺１１２と直交する方向（図２では、矢印Ｙ１方向）に延出している。また、この連絡板部２２も、連絡板部２１と同様に、折り曲げが容易なように、その延出方向に沿うスリット２２ａが多条に並ぶ格子構造（連子構造）に形成されている。
【００３０】
即ち、本実施形態のヒュージブルリンクユニット１の場合、２つの連絡板部２１，２２は、バッテリ接続板部１１ａからの延出方向が異なっている。
【００３１】
樹脂製被覆３０は、図３にも示すように、格子構造の連絡板部２１及び連絡板部２２の周囲を覆っている。また、樹脂製被覆３０は、図３にも示すように、各連絡板部２１，２２のスリット２１ａ，２２ａ内にも充填されている。本実施形態の樹脂製被覆３０は、連絡板部２１，２２の折り曲げを許容する可撓性を有すると同時に、連絡板部２１，２２の強度を補強する。また、樹脂製被覆３０は，防水性を有している。この樹脂製被覆３０に使用する樹脂材料としては、電線の外被に使用されるポリ塩化ビニール樹脂等が適している。
【００３２】
第２のヒュージブルリンク４１は、連絡板部２１の先端に一体形成された第２のヒューズエレメント１３を、第２の樹脂製ハウジング１４により支持した構成である。第２の樹脂製ハウジング１４は、第１の樹脂製ハウジング１２とは別体のハウジングである。
【００３３】
第２のヒューズエレメント１３は、図２に示すように、連絡板部２１に連なる第２中継板部１３ａと、外部回路の接続部となる第２の外部端子接続板部１３ｂと、第２中継板部１３ａと第２の外部端子接続板部１３ｂとの間を導通接続する第二可溶部１３ｃと、を備えている。第二可溶部１３ｃは、第二の定格以上の電流が流れるときに通電による発熱で溶断するように、断面積が設定されている。
【００３４】
第２の樹脂製ハウジング１４は、インサート成形により第２のヒューズエレメント１３に一体形成される。第２の樹脂製ハウジング１４は、第２中継板部１３ａと、第二可溶部１３ｃと、第２の外部端子接続板部１３ｂの一部とを、一定の位置関係に支持する。
【００３５】
別の第２のヒュージブルリンク４２は、連絡板部２２の先端に一体形成された第２のヒューズエレメント１６を、第２の樹脂製ハウジング１７により支持した構成である。第２の樹脂製ハウジング１７は、第１の樹脂製ハウジング１２や第２の樹脂製ハウジング１４とは別体のハウジングである。
【００３６】
第２のヒューズエレメント１６は、図２に示すように、連絡板部２２に連なる第２中継板部１６ａと、外部回路の接続部となる第２の外部端子接続板部１６ｂと、第２中継板部１６ａと第２の外部端子接続板部１６ｂとの間を導通接続する第二可溶部１６ｃと、を備えている。第二可溶部１６ｃは、第二の定格以上の電流が流れるときに通電による発熱で溶断するように、断面積が設定されている。
【００３７】
第２の樹脂製ハウジング１７は、インサート成形により第２のヒューズエレメント１６に一体形成される。第２の樹脂製ハウジング１７は、第２中継板部１６ａと、第二可溶部１１６ｃと、第２の外部端子接続板部１６ｂの一部とを、一定の位置関係に支持する。
【００３８】
以上に説明した一実施形態のヒュージブルリンクユニット１では、第２のヒュージブルリンク４１と第２のヒュージブルリンク４２は、それぞれ個別に、第１のヒュージブルリンク１０に対する交差角度を設定することができる。それぞれの第２のヒュージブルリンク４１，４２のヒュージブルリンクユニット１に対する交差角度は、連絡板部２１，２２の折り曲げによって任意の交差角度に設定することができ、また、設定した交差角度を、連絡板部２１，２２の剛性によって保持させることができる。
【００３９】
図４は、連絡板部２１を約４５゜に折り曲げて、第２のヒュージブルリンク４１と第１のヒュージブルリンク１０との交差角度を約４５゜に設定した場合を示している。
【００４０】
また、図５は、連絡板部２１及び連絡板部２２の双方を、それぞれ直角に折り曲げて、第２のヒュージブルリンク４１と第２のヒュージブルリンク４２のそれぞれのヒュージブルリンクを、第１のヒュージブルリンク１０に対して９０゜の交差角度に配置した場合を示している。
【００４１】
なお、連絡板部２１，２２の曲げ角度は、上記図４及び図５に示した角度に限定されるものではなく、０゜〜９０゜の任意角度に設定することができる。
【００４２】
以上に説明した一実施形態のヒュージブルリンクユニット１の場合、第１のヒュージブルリンク１０と第２のヒュージブルリンク４１，４２との間を接続している連絡板部２１，２２を折り曲げることで、第１のヒュージブルリンク１０と第２のヒュージブルリンク４１，４２との交差角度を設定する。それぞれの連絡板部２１，２２は、格子構造のため、無垢の板構造の場合と比較して折り曲げし易く、ヒュージブルリンク相互間の交差角度の設定が容易である。
【００４３】
そして、折り曲げ角度の保持は、連絡板部２１，２２自体の剛性によって行い、他の部品を使用しないため、ヒュージブルリンク相互間の交差角度の変更が容易にできる。
【００４４】
また、連絡板部２１，２２は樹脂製被覆３０で覆われるため、腐食し難く、ヒュージブルリンクユニット１の長寿命化を図ることができる。
【００４５】
また、一実施形態のヒュージブルリンクユニット１の場合、第１のヒュージブルリンク１０に追加される２つの第２のヒュージブルリンク４１，４２は、それぞれ個別に異なる方向に折り曲げすることができ、例えば、当該ヒュージブルリンクユニット１がバッテリの角部に直付けされるような場合、図５に示したように、それぞれのヒュージブルリンクをバッテリの交差する３面に沿う交差角度に成形して、当該ヒュージブルリンクユニット１の占有スペースを低減させることができる。
【００４６】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４７】
例えば、連絡板部を介してバッテリ接続板部に接続される第２の樹脂製ハウジングの装備数は、１または３以上とすることができる。
【００４８】
ここで、上述した本発明に係るヒューズユニットの実施形態の特徴をそれぞれ以下［１］〜［２］に簡潔に纏めて列記する。
【００４９】
［１］  バッテリ端子に接続されるバッテリ接続板部（１１ａ）を有する金属板製の第１のヒューズエレメント（１１）を第１の樹脂製ハウジング（１２）により支持した第１のヒュージブルリンク（１０）と、
前記バッテリ接続板部（１１ａ）と一体に形成されて、前記第１の樹脂製ハウジング（１２）の外部に延出する連絡板部（２１）と、
前記連絡板部（２１）の先端に一体形成された金属板製の第２のヒューズエレメント（１３）を前記第１の樹脂製ハウジング（１２）とは別体の第２の樹脂製ハウジング（１４）により支持した第２のヒュージブルリンク（４１）と、
を備え、
前記第１のヒュージブルリンク（１０）と前記第２のヒュージブルリンク（４１）との間に露出する前記連絡板部（２１）をその延出方向に沿うスリット（２１ａ）が多条に並ぶ格子構造に形成すると共に、前記連絡板部（２１）の周囲は可撓性を有する樹脂製被覆（３０）で覆い、
前記第１のヒュージブルリンク（１０）と前記第２のヒュージブルリンク（４１）との交差角度は前記連絡板部（２１）の折り曲げによって設定すると共に、前記連絡板部（２１）の剛性によって交差角度を保持させる、
ことを特徴とするヒュージブルリンクユニット（１）。
【００５０】
［２］  上記［１］に記載のヒュージブルリンクユニット（１）であって、
前記バッテリ接続板部（１１ａ）には、延出方向が異なる２つの前記連絡板部（２１，２２）が設けられ、それぞれの前記連結板部の先端に、前記第２のヒュージブルリンク（４１，４２）が形成されていることを特徴とするヒュージブルリンクユニット（１）。
【符号の説明】
【００５１】
１  ヒュージブルリンクユニット
１０  第１のヒュージブルリンク
１１  第１のヒューズエレメント
１１ａ  バッテリ接続板部
１２  第１の樹脂製ハウジング
１３  第２のヒューズエレメント
１４  第２の樹脂製ハウジング
２１，２２  連絡板部
２１ａ，２２ａ  スリット
３０  樹脂製被覆
４１，４２  第２のヒュージブルリンク
【図１】
2014137893.tif 000003
【図２】
2014137893.tif 000004
【図３】
2014137893.tif 000005
【図４】
2014137893.tif 000006
【図５】
2014137893.tif 000007
【図６】
2014137893.tif 000008